(57)【要約】プラグインアダプタ（４４）は、ホストデバイス（２０）に接続するための第１接触部（４６）と、メモリカード（５２）に接続するための少なくとも２つの第２接触部（５４、５６）と、加入者識別モジュール（ＳＩＭ）コンポーネント（６２）に接続するための第３接触部（６４）とを備える。アダプタ内の回路（６６）が、第２接触部の少なくとも１つを第３接触部に接続し、第２接触部の少なくとも別の１つを第１接触部に接続することで、ホストデバイスとＳＩＭコンポーネントの間に、メモリカードを介して、通信経路を作成する。【選択図】図４
2010532945.tif 000002
【特許請求の範囲】
【請求項１】
プラグインアダプタであって、
ホストデバイスに接続するための第１接触部と、
メモリカードに接続するための少なくとも２つの第２接触部と、
加入者識別モジュール（ＳＩＭ）コンポーネントに接続するための第３接触部と、
前記第２接触部の少なくとも１つを前記第３接触部に接続し、前記第２接触部の少なくとも別の１つを前記第１接触部に接続し、前記ホストデバイスと前記ＳＩＭコンポーネントの間にメモリカードを介して通信経路を作成する回路とを備える、プラグインアダプタ。
【請求項２】
前記第１接触部を含み、前記ホストデバイス内のホストレセプタクルと結合するように構成されたコネクタを備える、請求項１に記載のアダプタ。
【請求項３】
前記コネクタが、ＳＤカード規格に準拠する、請求項２に記載のアダプタ。
【請求項４】
前記コネクタが、前記ホストデバイスから前記アダプタを取り外せる構造になっている、請求項２に記載のアダプタ。
【請求項５】
前記第２接触部を含んでおり前記メモリカードを受容するためのメモリレセプタクルを備える、請求項１に記載のアダプタ。
【請求項６】
前記メモリレセプタクルが、ｍｉｃｒｏＳＤカード規格に準拠する、請求項５に記載のアダプタ。
【請求項７】
前記回路が、前記ホストデバイスが前記メモリカードを介してＩＳＯ７８１６規格に準じて前記ＳＩＭコンポーネントと通信できるように構成されている、請求項１〜６のいずれか１項に記載のアダプタ。
【請求項８】
前記第２接触部の前記少なくとも１つが、前記メモリカードのアンテナ接続部と通信するように構成されている、請求項１〜６のいずれか１項に記載のアダプタ。
【請求項９】
前記第３接触部が、前記ＳＩＭコンポーネントと固定接続されている、請求項１〜６のいずれか１項に記載のアダプタ。
【請求項１０】
前記第３接触部を備え、前記ＳＩＭコンポーネントを取り外し可能に受容するように構成されたＳＩＭレセプタクルを備える、請求項１〜６のいずれか１項に記載のアダプタ。
【請求項１１】
計算装置であって、
第１メモリカード規格に準拠したホストレセプタクルを備えるホストデバイスと、
第２メモリカード規格に準拠したメモリカードと、
プラグインアダプタとを備え、前記プラグインアダプタは、
前記ホストレセプタクルと結合するよう構成され、前記ホストデバイスに接続するための第１接触部を備えたコネクタと、
前記メモリカードを受容するように構成され、前記メモリカードに接続するための少なくとも２つの第２接触部を備えたメモリレセプタクルと、
加入者識別モジュール（ＳＩＭ）コンポーネントに接続するための第３接触部と、
前記第２接触部の少なくとも１つを前記第３接触部に接続し、前記第２接触部の少なくとも別の１つを前記第１接触部に接続して、前記ホストデバイスと前記ＳＩＭコンポーネントの間に、前記メモリカードを介して通信経路を作成する回路とを備えている、計算装置。
【請求項１２】
前記回路とメモリカードが、前記ホストデバイスが、前記メモリカードを介してＩＳＯ７８１６規格に準じてメッセージを交換することにより、前記ＳＩＭコンポーネントと通信できるように構成されている、請求項１１に記載の装置。
【請求項１３】
前記メッセージが、前記第１カード規格に準じて、前記ホストデバイスと前記メモリカードとの間で伝送するためにカプセル化されるとともに、前記メモリカードは、前記ＩＳＯ７８１６規格に準じて、前記メッセージを解析し、前記ＳＩＭコンポーネントとの間で伝達するように構成されたプロセッサを備えている、請求項１２に記載の装置。
【請求項１４】
前記メモリカードがアンテナ接続部を備えているとともに、前記第２接触部の前記少なくとも１つが前記メモリカードの前記アンテナ接続部と通信するように構成されている、請求項１１〜１３のいずれか１項に記載の装置。
【請求項１５】
ホストデバイスの操作方法であって、
加入者識別モジュール（ＳＩＭ）コンポーネントを搭載したプラグインアダプタを、前記ホストデバイスのホストレセプタクルに差し込むことと、
メモリカードを前記プラグインアダプタのメモリレセプタクルに差し込むことと、
前記プラグインアダプタと前記メモリカードを差し込んだ後に、前記ホストデバイスと前記ＳＩＭコンポーネント間で前記アダプタと前記メモリカードを介して通信を伝達することを含む、方法。
【請求項１６】
前記通信を伝達することが、ＩＳＯ７８１６規格に準じて前記メモリカードを介して前記ホストデバイスと前記ＳＩＭコンポーネントの間でメッセージを伝送することを含む、請求項１５に記載の方法。
【請求項１７】
前記メモリカードを差し込むことが、前記ＳＩＭコンポーネントと通信するために前記メモリカードのアンテナ接続部を結合することを含む、請求項１５又は１６に記載の方法。
【請求項１８】
ホストデバイスの操作方法であって、
メモリカードが差し込まれているプラグインアダプタを介し、前記メモリカードにおいて、前記ホストデバイスから前記プラグインアダプタ上のＳＩＭコンポーネント宛てに送信されたメッセージを受信することと、
前記メッセージを前記メモリカードから前記プラグインアダプタ上の前記ＳＩＭコンポーネントへ伝達することを含む、方法。
【請求項１９】
前記メッセージが前記ホストデバイスから第１プロトコルに従って伝送され、前記メッセージを伝達することが、第２プロトコルに従って、前記メッセージを解析し、前記メモリカードから前記ＳＩＭコンポーネントへ伝達することを含む、請求項１８に記載の方法。
【請求項２０】
前記第１プロトコルがＳＤプロトコルであり、前記第２プロトコルがＩＳＯ７８１６プロトコルである、請求項１９に記載の方法。
【発明の詳細な説明】
【技術分野】
【０００１】
本発明は、計算及び通信デバイスに関し、具体的にはデバイス認証に関する。
【背景技術】
【０００２】
電子メモリカードは、通常、デジタルデータの不揮発性記憶装置として、多くの電子計算及び通信デバイスに使用されている。多種多様なカード形式が、ＳａｎＤｉｓｋ社（ＳａｎＤｉｓｋ  Ｃｏｒｐｏｒａｔｉｏｎ：カリフォルニア州サニーベール）のような様々な製造業者より入手可能である。例えばＳａｎＤｉｓｋ社は、ホストデバイス内の互換するレセプタクルに差し込めるように設計されたＳｅｃｕｒｅ  Ｄｉｇｉｔａｌ（ＳＤ（商標））カード、並びにこれよりも小型のｍｉｃｒｏＳＤ（商標）カードを提供している。このようなカードには、事前定義されたバスプロトコル（ＳＤプロトコルなど）を使用して、ホストプロセッサと通信を行うフラッシュメモリと組み込みプロセッサが内蔵されている。
【０００３】
加入者識別モジュール（ＳＩＭ）は、ＳＩＭがインストールされたホストデバイスを、ＳＩＭ内に安全に記憶された一意の識別子に基づいて認証するために用いるスマートカードの一種である。ＳＩＭは、データを記憶するためのメモリ（フラッシュメモリ、又はその他の不揮発性メモリ）を備えていてもよい。用語「ＳＩＭカード」は、元来、携帯電話のためのグローバルシステム（ＧＳＭ）の電話網において携帯電話を認証する特定の文脈にて使用されるようになったものであるが、現在では、認証を目的として一意の識別子を安全に記憶するあらゆるスマートカード、又はその他の電子コンポーネントを指すようになっている。本願特許明細書の文脈中において、用語「ＳＩＭコンポーネント」は、この幅広い意味で用いられている。ＳＩＭコンポーネントは通常、認証を行うために、事前定義されたＳＩＭプロトコル、例えば国際標準化機構によって定義されたＩＳＯ７８１６プロトコルを使用して、ホストプロセッサと通信する。
【発明の概要】
【０００４】
実施形態では、プラグインアダプタはホストデバイスに接続するための第１接触部と、メモリカードに接続するための少なくとも２つの第２接触部と、加入者識別子モジュール（ＳＩＭ）コンポーネントに接続するための第３接触部と、さらに第２接触部の少なくとも１つを第３接触部に接続し、第２接触部の別の少なくとも１つを第１接触部に接続し、ホストデバイスとＳＩＭコンポーネントの間にメモリカードを介して通信経路を作成する回路とを備える。
【０００５】
アダプタは、第１接触部を備え、ホストデバイス内のホストレセプタクルと結合するよう構成されたコネクタを備えていてもよく、コネクタは、ＳＤカード規格に準拠していてもよい。一般的に、コネクタは、ホストデバイスからアダプタを取り外せる構造になっている。これに加えて、又はこれに代えて、アダプタは、第２接触部を具備し、メモリカードを受容するためのメモリレセプタクルを備えていてもよく、メモリレセプタクルはｍｉｃｒｏＳＤカード規格に準拠していてもよい。
【０００６】
一実施形態では、ホストデバイスが、メモリカードを介してＩＳＯ７８１６規格に準じてＳＩＭコンポーネントと通信できるように回路が構成されている。
【０００７】
これに加えて、又はこれに代えて、第２接触部の少なくとも１つは、メモリカードのアンテナ接続部と通信するように構成されている。
【０００８】
第３接触部は、ＳＩＭコンポーネントに固定接続されていてもよい。或いはアダプタは、第３接触部を備え、ＳＩＭコンポーネントを取り外し可能に受容するように構成されたＳＩＭレセプタクルを備えていてもよい。
【０００９】
別の実施形態は、計算装置を提供する。この計算装置は、第１メモリカード規格準拠のホストレセプタクルを具備するホストデバイスと、第２メモリカード規格準拠のメモリカードと、プラグインアダプタとを備える。アダプタは、コネクタとメモリレセプタクル、並びに第３接触部を備えている。コネクタは、ホストレセプタクルと結合するように構成されており、ホストデバイスに接続するための第１接触部を備えている。メモリレセプタクルは、メモリカードを受容するように構造されており、メモリカードに接続するための少なくとも２つの第２接触部を備えている。第３接続部は、加入者識別子モジュール（ＳＩＭ）コンポーネントに接続するためのものである。アダプタ内の回路が、第２接触部の少なくとも１つを第３接触部に接続し、第２接触部の別の少なくとも１つを第１接触部に接続することで、ホストデバイスとＳＩＭコンポーネントの間にメモリカードを介して通信経路が作成される。
【００１０】
回路、及びメモリカードは、メモリカードを介してＩＳＯ７８１６規格に準じてメッセージを交換することによってホストデバイスがＳＩＭコンポーネントと通信できるように構造されていてもよい。この場合、メッセージは、第１カード規格に従ってカプセル化され、ホストデバイスとメモリカードの間で伝送される。
又、メモリカードは、ＩＳＯ７８１６規格に従ってこのメッセージを解析し、ＳＩＭコンポーネントとの間で伝達するように構成されたプロセッサを備えている。
【００１１】
さらに別の実施形態は、ホストデバイスの操作方法を提供する。この方法は、加入者識別子モジュール（ＳＩＭ）コンポーネントを搭載したプラグインアダプタを、ホストデバイスのホストレセプタクルに差し込むことと、メモリカードをプラグインアダプタ上のメモリレセプタクルに差し込むことを含む。プラグインアダプタ及びメモリカードを差し込んだ後に、ホストデバイスとＳＩＭコンポーネントの間でアダプタとメモリカードを介して通信が伝達される。
【００１２】
また別の実施形態でのホストデバイスの操作方法は、メモリカードにおいて、このメモリカードが差し込まれたプラグインアダプタを介して、ホストデバイスからプラグインアダプタ上のＳＩＭコンポーネント宛てに送信されたメッセージを受信することと、このメッセージをメモリカードからプラグインアダプタ上のＳＩＭコンポーネントへ伝達することを含む。このメッセージは、ホストデバイスから第１プロトコルに従って伝送されてよく、さらに、メッセージを伝達することが、第２プロトコルに従って、メッセージを解析し、メモリカードからＳＩＭコンポーネントへ伝達することを含んでいてよい。開示された実施形態では、第１プロトコルはＳＤプロトコル、第２プロトコルはＩＳＯ７８１６プロトコルである。
【００１３】
ここで開示した内容は、以下の実施形態の詳細な説明を、図面と共に読むことで、より十分理解される。
【図面の簡単な説明】
【００１４】
【図１】携帯型計算デバイスの概略的な図である。
【図２】計算デバイスのコンポーネントを示すブロック図である。
【図３】計算デバイスの構成要素間における通信の流れを概略的に示すブロック図である。
【図４】プラグインアダプタとメモリカードを概略的に示すブロック図である。
【図５】別の構成におけるプラグインアダプタとメモリカードを概略的に示すブロック図である。
【発明を実施するための形態】
【００１５】
図１は、ビデオプログラムや音楽のようなデジタルコンテンツを受信・再生するマルチメディア能力を設けた、携帯型計算デバイス２０の概略図である。そのため、デバイス２０は、後続する図面を参照して記述するように、デジタルメモリと認証コンポーネントの新規な配置を含む。このデバイスは出力インターフェース、例えばビデオディスプレイ２２、オーディオスピーカ（図示せず）等、並びにユーザ制御部２４を備えており、ユーザ制御部はプログラムの選択や他のユーザ制御機能を実行する。このデバイスはまた、アンテナ２６で示されるような、セルラー或いはその他の携帯網や衛星網のようなネットワーク３０と通信するための通信インターフェースも備えている。これに代えて、又はこれに加えて、デバイス２０は、有線電話、ケーブル、又はパケット網のような固定網と通信することも可能である。
【００１６】
デバイス２０は、デバイスメモリ内に記憶させたコンテンツ及びネットワーク３０上でコンテンツプロバイダ２８より伝送されたコンテンツの両方を含む各種ソースからのコンテンツを再生することができる。コンテンツプロバイダは、デバイス２０のユーザが視聴するために選んだ各プログラムについて、購入料、又はペイパービュー視聴料を請求する。コンテンツプロバイダは、限定受信システム（ＣＡＳ)を使用することで、認証済みのデバイスのみがこれらのプログラムの再生を行えるようにすることが可能である。このＣＡＳでは、エンドユーザを認証してプログラムを復号化できるよう、コンテンツプロバイダによって認証されたＳＩＭコンポーネントを、デバイス２０に内蔵しておく必要がある。（上述したように、「ＳＩＭコンポーネント」はあらゆる種類のスマートカード、又はこれ以外の一意の識別子を含んだ適切な電子デバイスであってもよい。）
【００１７】
この種のＳＩＭベースの認証要求は、携帯型デバイスのタイプによっては問題となることがある。例えば、デバイス２０が携帯電話である場合には、一般に、デバイスにはネットワーク３０の運用者が提供したＳＩＭコンポーネントが装備されており、コンテンツプロバイダのＣＡＳ用の追加的なＳＩＭレセプタクルが装備されていない。両方の目的に同じＳＩＭコンポーネントを使用することは原理上可能であるが、この解決策では携帯網運用者と、コンテンツプロバイダ間の密接な協力体制が必要になるため、常に実用的とは言い難い。ユーザは、携帯網ＳＩＭコンポーネントとＣＡＳ・ＳＩＭコンポーネントを交互に切り換えることで通信とメディア再生を行えるが、しかしこの解決法も実用的ではない。別のケースとして、デバイス２０を、例えば電話機能の無い携帯式メディアプレーヤであると仮定した場合は、デバイスは、ＳＩＭレセプタクルを全く備えないこともあり得る。
【００１８】
一方、最新の携帯型デバイスには、一般に、ＳＤカードスロットのようなメモリレセプタクルが利用可能に装備されている。以下に記載の実施形態では、新規のアダプタを、デバイスメモリとＳＩＭ認証の両方に使用できる形で、このメモリレセプタクルに差し込む。具体的には、アダプタはＳＩＭコンポーネント（組み込み、又は取り外し可能なもの）と、メモリカード（ｍｉｃｒｏＳＤカードなど）用のレセプタクルとを備えている。アダプタ内の回路によって、ホストデバイスとメモリカードの間、メモリカードとＳＩＭコンポーネントの間に通信経路が構築される。これにより、ホストデバイスは、アダプタとメモリカードの組み込みプロセッサを介して、メモリオペレーションとＳＩＭ認証オペレーションの両方を実行できるようになる。このようにすれば、アダプタ内の適切なＣＡＳ・ＳＩＭを認証に使用し、メモリ内に事前に記憶したプログラムを再生することによって、デバイス２０を、オンラインでコンテンツプロバイダ２８からプログラムを受信、再生するのに使用できる。
【００１９】
図２は、利用可能な一実施形態におけるデバイス２０の内部詳細と各コンポーネントを概略的に示すブロック図である。デバイスのオペレーションは、ホスト中央処理ユニット（ＣＰＵ）４０によって制御される。ＣＰＵ４０は、ネットワーク３０と通信し、ディスプレイ２２、及び制御部２４（図１）と相互的に動作するための入力／出力（Ｉ／Ｏ）インターフェース４２を備えている。上述したように、デバイス２０は、ネットワーク３０の運用者から提供された、ネットワーク上でデバイスを認証するＳＩＭカード（図示せず）を備えている。
【００２０】
デバイス２０は、規格化されたメモリカードを受容するように設計されたホストレセプタクル４８を備えている。この実施形態では、レセプタクルをＳＤ互換のものと仮定している。しかし、本開示の原理は、他のメモリカード規格を使用した場合にも同様に適用することができる。アダプタ４４は、コネクタ４５付きの基板を備えており、このコネクタ４５がレセプタクル４８に差し込まれる。コネクタは、接触部４６を備え、この接触部によって、アダプタがレセプタクルを介してホストデバイスに接続する。本願特許出願と特許請求の範囲の内容に記載されている用語「接触部」とは、ピン、パッド、ソケットなどを含む（それに制限されるものではない）物理的な接点部を意味する。
【００２１】
この例において、アダプタ４４は、ｍｉｃｒｏＳＤカードのようなメモリカード５２を受容するためのメモリレセプタクル５０を備えている。レセプタクル５０は、メモリカード上の適切なコネクタに接続する接触部５４、５６を備えている。メモリカード５２は、組み込みプロセッサ５８と、フラッシュメモリアレイのようなメモリ６０とを備える。メモリ６０は、一般に、ホストデバイス用のデータ（ビデオ記録物など）と、組み込みプロセッサによって実行されるファームウェアの両方を記憶するために使用される。
【００２２】
アダプタ４４には、アダプタ上の接触部６４に接続するＳＩＭコンポーネント６２も実装されている。一般に、ＳＩＭコンポーネントは、ＩＳＯ７８１６などの事前定義された規格に準じて通信するように構成されている。ＳＩＭコンポーネントをアダプタ内に組み込んで接触部６４と固定接続させることができる。或いは、接触部６４を具備したＳＩＭレセプタクル６５をアダプタ４４に設け、要望に応じて、このＳＩＭレセプタクル６４内にＳＩＭコンポーネントを差し込み、又、抜き取れるようにしてもよい。
【００２３】
アダプタ４４上の回路６６が接触部４６、５４、５６、６４と相互接続することで、ホストＣＰＵ４０が、ＳＩＭコンポーネント６２と通信する。図３を参照して通信の流れを以下に示す。又、図４及び図５に、回路６６の利用可能な異なる構成のそれぞれを示す。一般的に言えば、回路６６は、付加的な切り換えや、他の論理が殆ど、又は全くない、適切な接触部間の伝導経路を単に備えていればよい。本明細書中に記述の実施形態では、メモリカード５２内のプロセッサ５８が、ホストＣＰＵ４０からのメッセージの解析、実行を行うため、アダプタ４４内の組み込みプロセッサがこうした機能を実行する必要はない。
【００２４】
メモリカード５２は、オフシェルフハードウェアを備え、本明細書に記述された新規機能を実行するように、必要に応じて変更を加えたファームウェアが実装された規格品である。一実施形態（以下で図４を参照してより詳細に記述する）では、メモリカード５２は、近距離無線通信（ＮＦＣ）アンテナと通信するための入力／出力ピンを備えている。これらのピンがレセプタクル５０内の接触部５６と接触する。一方、接触部５４は、メモリカードとホストデバイス間のデータ接続に使用される。この実施形態では、アンテナに接続する代わりに、接続部５６がプロセッサ５８をＳＩＭコンポーネント６２に接続するために使用されている。さらに、アンテナピンをＳＩＭメッセージの送受信に使用するように、プロセッサによって実行されるファームウェアが変更されている。
【００２５】
図３は、コンテンツプロバイダ２８からコンテンツを受信及び再生することに関連した、一実施形態における、デバイス２０の構成要素間の通信の流れを概略的に示すブロック図である。このコンテンツは、コンテンツプロバイダのＣＡＳに属し、デバイス２０は、ホストＣＰＵ４０上で実行中のＣＡＳアプリケーションプログラム７０を使用してこのコンテンツにアクセスする。デバイス２０を認証し、コンテンツを復号化するために、図示する様に、ＣＡＳアプリケーション７０がアダプタ４４とメモリカード５２を通る通信経路を介してＳＩＭコンポーネント６２にアクセスする。次に、これに対する応答がメモリカードからアダプタを通ってＳＩＭコンポーネントへ戻される。本特許出願、及び特許請求の範囲の文脈において、用語「経路」とはエンドポイント間のあらゆる種類の物理的、又は論理的接続（又は物理的接続と論理的接続の組み合わせ）を意味する。一般に、このような経路は既に定義したタイプの接触部にて、及び／又はこれを通過して終端する。
【００２６】
ホストＣＰＵ４０は、ＳＤプロトコルのような規格型のメモリバスプロトコルを用いて、メモリカード５２上のプロセッサ５８と通信する。この通信を行うために、ＳＤドライバプログラム７２は、適切なメモリコマンドを生成し、メモリカードから戻された応答を解析する。これらのコマンドと応答は、アダプタ４４によって不可視的にパススルーされる。ＳＤホスト制御プログラム７４は、ホストデバイスとメモリカード間のリンク制御を担う。
【００２７】
しかし、ＳＩＭコンポーネント６２は、ホストデバイスとメモリカード５２の間で使用されるメモリバスプロトコルではなく、ＩＳＯ７８１６のようなＳＩＭプロトコルを使用して通信する。ホストＣＰＵは、ＳＩＭコンポーネントとの通信をサポートするために、ＳＩＭ−ｔｏ−ＳＤドライバプログラム７６を使用する。このプログラムは、ＣＡＳアプリケーション７０から発信されたＳＩＭメッセージを、ＳＤプロトコル準拠のコマンドの中にカプセル化し、次に、メモリカードからの応答を解析することにより、ＳＩＭコンポーネントから着信したＳＩＭメッセージを抽出、及び解釈した後に、これをＣＡＳアプリケーションに送信する。このカプセル化を行うことで、ＣＡＳアプリケーションが、ＳＩＭプロトコルインターフェースを出力する必要なくＳＩＭコンポーネントと通信できるようになる。プロセッサ５８は、メモリ５２内で、これと同様のカプセル化機能と解析機能を実行することで、ＳＩＭコンポーネント６２との間でＳＩＭメッセージを伝送する。
【００２８】
そのために、デバイス２０は、ＳＩＭメッセージをメモリバスプロトコルにカプセル化する既存の方法を利用することが可能である。このような方法は、例えば米国特許出願公開第２００４／００６４６１２号、米国特許第７，３０５，５３５号に記述されている。これらに開示された内容は本願明細書に組み込まれ、本実施形態に適宜使用することができる。本実施形態では具体的に、ＩＳＯ７８１６準拠のメッセージをＳＤプロトコルにカプセル化することに関するが、これと同様の原理を、別タイプのＳＩＭプロトコルメッセージを伝送する際、並びにＳＩＭメッセージを別のメモリバスプロトコルにカプセル化する際に適用することもできる。
【００２９】
図４、及び図５は、デバイス２０内における回路６６の異なる２つの可能な実装形態を概略的に示すブロック図である。
【００３０】
図４の実施形態では、ＳＤプロトコルに従い、メモリカード５２が、データ０．．．データ３と表示されたＳＤデータラインを使用し、ホストデバイスとの間でアダプタ４４を介して４ビットデータを交換する。ＳＤ規格はこの４本のデータラインのみを提供する。そのため、メモリカード５２内のプロセッサは、アンテナ０、及びアンテナ１と表示された２本の付加的なピンを使用してＳＩＭコンポーネント６２と通信するようにプログラムされている。これらのピンは、上述したとおり、通常は、ＮＦＣアンテナと通信するために使用されている。
【００３１】
ＩＳＯ７８１６に従い、ＳＩＭコンポーネント６２は、図４に示すようにＶＣＣ（電力）、クロック、データ、及びリセットのためのピンを設けている。ＶＣＣは、ホストデバイスからアダプタ４４を介して直接提供される。メモリカード５２は、通常、標準クロック及びデータ信号を、アンテナ０とアンテナ１を介してＳＩＭコンポーネントに提供する。ＳＩＭコンポーネントをリセットする必要がある場合には、メモリカードが、パルスが特別な順序（シーケンス）で並んだ形式のリセットコマンドを、クロックラインとデータラインを通して提供する。回路６６内の単純な論理回路８２がこのシーケンスを検出し、ＳＩＭコンポーネントへのリセット入力をアサートする。論理回路８２は、例えばステートマシン、マイクロプロセッサ、又は、プログラム可能型の、或いはハードワイヤード方式で接続した制御部を備えていてよく、メモリカードからのコマンドに応答してＳＩＭコンポーネント６２のリセットを起動するように構成されている。このように、ＳＩＭコンポーネントに対して、標準規格ＩＳＯ７８１６インターフェースの要求仕様が満たされる。
【００３２】
図５は、別の実施形態による回路６６の詳細を概略的に示すブロック図である。この実施形態では、ＳＤ規格により提供されるオプションの１ビットデータモードを利用している。この場合、ホストデバイスとメモリカード５２間でのデータ伝送に必要なのは、データ０ラインのみである。残りのＳＤデータライン（データ１、データ２、及びデータ３）は、メモリカードとＳＩＭコンポーネント６２間でのクロック、データ、及びリセット信号の伝達に利用できる。したがってこの実施形態では、回路６６は、アダプタ４４の基板上に適切な導電トレースのみを備えていればよく、論理回路８２は必要ない。
【００３３】
上述した実施形態は、例証として引用されたものであり、本開示は、上記で提示し記述したものに限定されない。さらに、本開示の範囲は、上述した様々な特徴の組み合わせ及び準組み合わせの双方を含み、並びに、当業者が前述の説明を読解して思い付くことができ、従来技術に開示されていない、これらの組み合わせ及び変更を含む。
【図１】
2010532945.tif 000003
【図２】
2010532945.tif 000004
【図３】
2010532945.tif 000005
【図４】
2010532945.tif 000006
【図５】
2010532945.tif 000007
【国際調査報告】
2010532945.tif 000008
2010532945.tif 000009
2010532945.tif 000010